(57)【特許請求の範囲】
【請求項１】
外郭を形成する筐体と、
前記筐体の前面側から背面側に向かって配置され、前記筐体の内部を送風機室と機械室とに仕切る仕切り板と、
前記送風機室の内部において、前記筐体の背面側の縁部に沿って設置された熱交換器と、
前記熱交換器に取り付けられ、外気温度を測定する温度検知手段を収納するホルダと、を備え、
前記仕切り板は、
背面側において前記熱交換器との間に間隔をあけて設けられ、前記熱交換器の長手方向に沿った形状の第１平坦部と、
前記第１平坦部の側縁部から前記熱交換器に向かって突き出す形状の第２平坦部と、を有し、
前記ホルダは、
前記温度検知手段を保持する収納部と、
前記収納部に連設され、前記熱交換器の上面を跨って前記第１平坦部に掛け留める引掛け部と、を有する、空気調和機の室外機。
【請求項２】
前記仕切り板は、前記第２平坦部の側縁部から前記熱交換器の長手方向に沿って突き出す形状の第３平坦部を、更に有している、請求項１に記載の空気調和機の室外機。
【請求項３】
前記ホルダの前記引掛け部は、
前記収納部から延出し、前記熱交換器の背面に当接させる延出面部と、
前記延出面部の端部から屈曲し、前記熱交換器の上面に載置させる天面部と、
前記天面部の端部から屈曲し、前記第１平坦部に掛け留める掛留部と、を有し、
前記掛留部は、先端部を外方に向かって傾斜させた構成である、請求項１又は２に記載の空気調和機の室外機。
【発明の詳細な説明】
【技術分野】
【０００１】
本発明は、外気温度を測定する温度検知手段を収納するためのホルダを備えた空気調和機の室外機に関するものである。
【背景技術】
【０００２】
従来、空気調和機の室外機は、外気温度を測定する温度検知手段を収納するためのホルダを備えた構成が知られている。例えば特許文献１では、外郭を形成する筐体の内部において、背面側に縁部に沿って１列又は複数列で設置された熱交換器に取り付けるホルダが開示されている。このホルダは、温度検知手段であるサーミスタを収納する本体部と、本体部に回動自在にヒンジ連結されたカバー部と、を備えている。本体部には、熱交換器の上端部を前後から挟み付けて係合する引掛け部が設けられている。
【先行技術文献】
【特許文献】
【０００３】
【特許文献１】特開２００７−１４７２０５号公報
【発明の概要】
【発明が解決しようとする課題】
【０００４】
特許文献１に開示されたホルダのように、引掛け部で熱交換器の上端部を前後から挟み付けて係合させる構成では、熱交換器の幅寸に合わせて引掛け部の寸法が決定されるので、幅寸が異なる熱交換器には取り付けることができない。つまり、従来の空気調和機の室外機では、例えば２列の熱交換器を備えた空気調和機の室外機に使用されるホルダを、１列の熱交換器を備えた空気調和機の室外機に適用することができず、熱交換器の幅寸に対応するホルダを、室外機ごとに製造する必要があった。そのため、従来の空気調和機の室外機では、ホルダの形状ごとに製造金型を用意する必要があり、製造コストが嵩む虞があった。また、ホルダを異なる種類ごとに分けて管理する作業が煩わしく作業者の負担が大きかった。【０００５】
本発明は、上記のような課題を解決するためになされたもので、幅寸が異なる熱交換器を備えた室外機に使用されるホルダと同一のホルダを使用することができる、空気調和機の室外機を提供することを目的とする。
【課題を解決するための手段】
【０００６】
本発明に係る空気調和機の室外機は、外郭を形成する筐体と、前記筐体の前面側から背面側に向かって配置され、前記筐体の内部を送風機室と機械室とに仕切る仕切り板と、前記送風機室の内部において、前記筐体の背面側の縁部に沿って設置された熱交換器と、前記熱交換器に取り付けられ、外気温度を測定する温度検知手段を収納するホルダと、を備え、前記仕切り板は、背面側において前記熱交換器との間に間隔をあけて設けられ、前記熱交換器の長手方向に沿った形状の第１平坦部と、前記第１平坦部の側縁部から前記熱交換器に向かって突き出す形状の第２平坦部と、を有し、前記ホルダは、前記温度検知手段を保持する収納部と、前記収納部に連設され、前記熱交換器の上面を跨って前記第１平坦部に掛け留める引掛け部と、を有するものである。
【発明の効果】
【０００７】
本発明によれば、第２平坦部の長さを調整して仕切り板を形成することで、第１平坦部と熱交換器との間隔をホルダの形状に合わせることができるので、幅寸が異なる熱交換器を備えた室外機に用いられるホルダと同一のホルダを使用することができる。
【図面の簡単な説明】
【０００８】
【図１】空気調和機の室外機を前面側から示した斜視図である。
【図２】空気調和機の室外機を前面側から示した分解斜視図である。
【図３】空気調和機の室外機を背面側から示した斜視図である。
【図４】空気調和機の室外機を背面側から示した分解斜視図である。
【図５】熱交換器を除く他の構成要素を省略した室外機の内部構造を示した斜視図である。
【図６】図５に示したＡ部拡大図である。
【図７】図５に示したＡ部を側面方向から見た拡大図である。
【図８】図５に示したＡ部とその周辺を平面的に見た拡大図である。
【図９】空気調和機の室外機のホルダであって、カバー部を開いた状態を示した斜視図である。
【図１０】空気調和機の室外機のホルダであって、カバー部を閉じた状態を示した斜視図である。
【図１１】本実施の形態に係る空気調和機の室外機であって、熱交換器を除く他の構成要素を省略した内部構造を示した斜視図である。
【図１２】図１１に示したＢ部拡大図である。
【図１３】図１１に示したＢ部を側面方向から見た拡大図である。
【図１４】図１１に示したＢ部とその周辺を平面的に見た拡大図である。
【発明を実施するための形態】
【０００９】
以下、図面を参照して、本発明の実施の形態について説明する。なお、各図中、同一又は相当する部分には、同一符号を付して、その説明を適宜省略または簡略化する。また、各図に記載の構成について、その形状、大きさ、及び配置等は、本発明の範囲内で適宜変更することができる。
【００１０】
実施の形態．
本発明の実施の形態に係る空気調和機の室外機は、幅寸が異なる熱交換器を備えた室外機に使用される温度検出手段のホルダと同一のホルダを使用することができる構成である。そこで、本実施の形態では、２列の熱交換器を備えた空気調和機の室外機１１０に使用されるホルダと同一のホルダを、１列の熱交換器を備えた空気調和機の室外機１００に使用する場合を例に説明する。
【００１１】
先ずは、図１〜図１０に示す２列の熱交換器を備えた空気調和機の室外機１１０に基づいて、本実施の形態に係る空気調和機の室外機１００が有する共通の構造について説明する。図１は、空気調和機の室外機を前面側から示した斜視図である。図２は、空気調和機の室外機を前面側から示した分解斜視図である。図３は、空気調和機の室外機を背面側から示した斜視図である。図４は、空気調和機の室外機を背面側から示した分解斜視図である。
【００１２】
図１〜図４に示す空気調和機の室外機１１０は、外郭を形成する筐体１を備えている。筐体１は、一例として前側面パネル１０、右側面パネル１１、底面パネル１２、及び天面パネル１３で構成されている。前側面パネル１０は、例えばＬ字形状の部材であり、筐体１の前側面及び左側面を構成する。前側面パネル１０には、円形状の吹出口が形成されており、吹出口を覆うファンガード１０ａが取り付けられている。空気調和機の室外機１１０は、底面パネル１２の下面に取り付けられた脚部１２ａを設置場所に固定して安定させる構造となっている。
【００１３】
図５は、熱交換器を除く他の構成要素を省略した室外機の内部構造を示した斜視図である。図６は、図５に示したＡ部拡大図である。図７は、図５に示したＡ部を側面方向から見た拡大図である。図８は、図５に示したＡ部とその周辺を平面的に見た拡大図である。なお、図８では、図５に示したホルダ５を省略している。筐体１は、図５に示すように、前面側から背面側に向かって配置された仕切り板２によって、内部を送風機室３と機械室４とに区画されている。
【００１４】
仕切り板２は、図５に示すように、前面側から背面側に向かう中間部において、右側面側に向かって湾曲し、図６〜図８に示すように、湾曲面２１の終端部に熱交換器３０の側面に沿った平坦部２０が形成されている。平坦部２０は、平坦面が熱交換器３０の前面側の側面に当接されており、端部に設けた通孔２２にネジ等の締結部材の軸部をネジ込んで熱交換器３０に接合されている。仕切り板２は、熱交換器３０の幅寸に応じた形状で構成されており、各種の室外機ごとに形状が異なっている。
【００１５】
送風機室３には、図２に示すように、熱交換器３０、プロペラファン３２、モーター３３、及びモーター取付台３４が設けられている。モーター取付台３４は、プロペラファン３２を取り付けたモーター３３を保持する部材であり、熱交換器３０の前方に設けられている。室外機１１０は、プロペラファン３２が動作することで、熱交換器３０を通過した空気が内部に導入されてプロペラファン３２を通過し、室外機１１０の前方へ排出される構成である。これにより、室外機１１０は、例えば冷房運転中において、熱交換器３０内で冷媒が空気によって冷却され、熱交換器３０を通過した空気が冷媒と熱交換することで加熱される構成となる。
【００１６】
熱交換器３０は、図２、図４及び図５に示すように２列で構成されており、筐体１の背面側の縁部から左側面の縁部に沿って設けられている。２列で構成された熱交換器３０の幅寸は、一例として４４ｍｍ程度である。熱交換器３０には、図３、図４、図６及び図７に示すように、筐体１の外気温度を測定する温度検知手段８を収納した合成樹脂製のホルダ５が、背面側の左上に取り付けられている。温度検知手段８は、例えばサーミスタで構成される。
【００１７】
機械室４には、図２及び図４に示すように、圧縮機４０、冷媒配管４１、電装品ユニット４２、及び電源ユニット４３が設けられている。圧縮機４０は、底面パネル１２の上面に載置されており、室内機から送られた冷媒を圧縮する。圧縮機４０で圧縮された冷媒は、冷媒配管４１を通って熱交換器３０に送られる。電装品ユニット４２は、制御基板等を備えており、室外機１１０の内部に設けた各部品への電力供給等を行うためのものである。電源ユニット４３は、室外機１１０と室内機とを接続する端子台が電源板にネジ等で固定された構成である。電源ユニット４３は、図２及び図４に示すように、右側面パネル１１に形成された開口部１１ａを介して外部と通じており、図１に示すように、右側面パネル１１の外面に取り付けられた保護カバー１４で覆われて、埃又は水が入らないように保護されている。
【００１８】
次に、ホルダ５の具体的な構成を図９及び図１０に基づいて説明する。図９は、空気調和機の室外機のホルダであって、カバー部を開いた状態を示した斜視図である。図１０は、空気調和機の室外機のホルダであって、カバー部を閉じた状態を示した斜視図である。ホルダ５は、図９及び図１０に示すように、温度検知手段８を収納する収納部６と、収納部６に連設され、熱交換器３０の上面を跨って平坦部２０に掛け留める引掛け部７と、で構成されている。
【００１９】
収納部６は、温度検知手段８を取り付けるための台座６２を有する凹形状の本体部６０と、本体部６０の下端で回動自在にヒンジ連結されたカバー部６１と、で構成されている。本体部６０の両側縁には、カバー部６１へ向かって突き出すフック部６３が設けられている。一方、カバー部６１の両側縁には、フック部６３を係合させる係合孔６４が形成されている。収納部６は、図１０に示すように、カバー部６１を回動させ、フック部６３を係合孔６４に係合させることで、温度検知手段８を内部に収納することができる。つまり、ホルダ５は、熱交換器３０に取り付けた状態で、フック部６３を係合孔６４から外し、カバー部６１を回動させて本体部６０を開放させることで、温度検知手段８の取り付け又は取り外し作業を行うことができる。なお、収納部６の上面には、収納した温度検知手段８のリード線８０を外部へ通すための貫通孔が形成されている。
【００２０】
本体部６０には、縦長のスリット状又は横長のスリット状の通気孔（図示は省略）が、複数箇所に形成されている。また、カバー部６１には、横長のスリット状の通気孔６５が複数箇所に形成されている。カバー部６１の通気孔６５から進入した風は、収納部６の内部を通過し、本体部６０の通気孔６５を通じて熱交換器３０に吸い込まれる。
【００２１】
引掛け部７は、収納部６から延出し、熱交換器３０の背面に当接させる延出面部７０と、延出面部７０の端部から屈曲され、熱交換器３０の上面に載置させる天面部７１と、天面部７１の端部から屈曲され、平坦部２０に掛け留める掛留部７２と、を有している。天面部７１は、２列で構成された熱交換器３０の幅寸と略同一の長さで構成されている。
【００２２】
延出面部７０には、保護チューブで保護された温度検知手段８のリード線８０を嵌め込んで固定する凹部７０ａが形成されている。天面部７１の上面には、温度検知手段８のリード線８０を保持するＬ字状のガイド片７３が設けられている。
【００２３】
掛留部７２は、先端部７２ａを外方に向かって傾斜させた構成である。これは、ホルダ５を熱交換器３０に取り付ける際に、掛留部７２の先端部７２ａをガイド部として機能させるものである。
【００２４】
ホルダ５は、図６及び図７に示すように、引掛け部７が２列の熱交換器３０の上面を跨って平坦部２０に掛け留められて取り付けられる。つまり、ホルダ５は、延出面部７０と掛留部７２とで、熱交換器３０の背面側と平坦部２０とを挟み付けるように組み付けられ、天面部７１が平坦部２０の上端縁と熱交換器３０の上面に突き当たることで位置決めされる。このとき、掛留部７２の先端部７２ａは、ホルダ５を熱交換器３０に取り付ける際に、平坦部２０へ誘導するガイド部として機能する。
【００２５】
なお、図示した実施の形態では、掛留部７２を仕切り板２の平坦部２０に掛け留めてホルダ５を熱交換器３０に取り付ける構成を示したが、この限りではない。ホルダ５は、掛留部７２を熱交換器３０の前面側の側面に掛け留めて、熱交換器３０に取り付けてもよい。
【００２６】
次に、１列の熱交換器３１を備えた空気調和機の室外機１００を、図１１〜図１４に基づいて説明する。図１１は、本実施の形態に係る空気調和機の室外機であって、熱交換器を除く他の構成要素を省略した内部構造を示した斜視図である。図１２は、図１１に示したＢ部拡大図である。図１３は、図１１に示したＢ部を側面方向から見た拡大図である。図１４は、図１１に示したＢ部とその周辺を平面的に見た拡大図である。
【００２７】
空気調和機の室外機１００は、図１１〜図１３に示すように、１列の熱交換器３１が筐体１の背面側の縁部から左側面の縁部に沿って設けられている。１列で構成された熱交換器３１は、一例として２２ｍｍ程度の幅寸で構成されている。
【００２８】
この空気調和機の室外機１００に使用されている仕切り板９は、図１１及び図１４に示すように、前面側から背面側に向かう中間部に、右側面側に向かって湾曲する湾曲面９３を有している。仕切り板９は、湾曲面９３の終端部において、熱交換器３１との間に間隔Ｓをあけて設けられ、熱交換器３１の長手方向に沿った形状の第１平坦部９０と、第１平坦部９０の側縁部から熱交換器３１に向かって突き出す形状の第２平坦部９１と、を有している。仕切り板９は、第２平坦部９１の大きさを調整して形成することで、第１平坦部９０と熱交換器３１との間に目標の間隔Ｓを形成することができる。つまり、本実施の形態の場合では、第２平坦部９１によって、１列分の熱交換器の幅寸となる間隔Ｓを設けることができるので、２列の熱交換器３０を備えた空気調和機の室外機１１０に使用されるホルダ５と同一のホルダ５を、１列の熱交換器３１を備えた空気調和機の室外機１００に使用することができる。
【００２９】
また、仕切り板９は、図１２及び図１４に示すように、第２平坦部９１の側縁部から熱交換器３１の長手方向に沿って突き出す形状の第３平坦部９２を有している。第３平坦部９２は、熱交換器３１の前面側の側面に当接しており、通孔９４にネジ等の締結部材の軸部をネジ込んで熱交換器３１に接合されている。なお、仕切り板９は、第３平坦部９２を設けることなく、他の構成によって熱交換器３１に接合される構成でもよい。
【００３０】
ホルダ５は、図１２及び図１３に示すように、引掛け部７が１列の熱交換器３１の上面を跨って第１平坦部９０に掛け留められて熱交換器３１の背面側に取り付けられる。具体的には、ホルダ５は、延出面部７０と掛留部７２とで、熱交換器３１の背面側と第１平坦部９０とを挟み付けるように組み付けられ、天面部７１が第１平坦部９０の上端縁と熱交換器３１の上面に突き当たることで位置決めされる。なお、掛留部７２の先端部７２ａは、ホルダ５を熱交換器３１へ取り付ける際のガイド部として機能する。
【００３１】
なお、図示した実施の形態では、２列の熱交換器３０を備えた空気調和機の室外機１１０に使用されるホルダ５と同一のホルダ５を、１列の熱交換器３１を備えた空気調和機の室外機１００に使用できる場合を例に説明したが、この限りではない。本実施の形態に係る空気調和機の室外機１００は、第２平坦部９１の長さを調整して仕切り板９を形成することで、３列の熱交換器を備えた空気調和機の室外機に使用されるホルダと同一のホルダを、１列の熱交換器を備えた空気調和機の室外機に使用することもできる。また、１列の熱交換器を備えた空気調和機の室外機に用いられるホルダと同一のホルダを、幅寸が異なる１列の熱交換器を備えた空気調和機の室外機に使用することもできる。
【００３２】
上記したように、本実施の形態の空気調和機の室外機１００によれば、外郭を形成する筐体１と、筐体１の前面側から背面側に向かって配置され、筐体１の内部を送風機室３と機械室４とに仕切る仕切り板９と、送風機室３の内部において、筐体１の背面側の縁部に沿って設置された熱交換器３１と、熱交換器３１に取り付けられ、外気温度を測定する温度検知手段８を収納するホルダ５と、を備えている。仕切り板９は、背面側において熱交換器３１との間に間隔Ｓをあけて設けられ、熱交換器３１の長手方向に沿った形状の第１平坦部９０と、第１平坦部９０の側縁部から熱交換器３１に向かって突き出す形状の第２平坦部９１と、を有している。ホルダ５は、温度検知手段８を収納する収納部６と、収納部６に連設され、熱交換器３１の上面を跨って第１平坦部９０に掛け留める引掛け部７と、を有している。
【００３３】
よって、本実施の形態に係る空気調和機の室外機１００は、第２平坦部９１の長さを調整して仕切り板９を形成することで、第１平坦部９０と熱交換器３１との間隔Ｓをホルダ５の形状に合わせることができるので、幅寸が異なる熱交換器３０を備えた室外機１１０に使用されるホルダ５と同一のホルダ５を使用することができる。そのため、本実施の形態の空気調和機の室外機１００では、ホルダ５を製造する際に、ホルダ５の形状ごとに用意する製造金型が少なくて済み、製造コストを抑えることができる。また、ホルダ５を異なる種類ごとに分けて管理する負担も軽減できる。
【００３４】
また、仕切り板９は、第２平坦部９１の側縁部から熱交換器３１の長手方向に沿って突き出す形状の第３平坦部９２を有している。よって、本実施の形態の空気調和機の室外機１００は、第３平坦部９２を熱交換器３１に当接させて、ネジ等の締結部材で接合することにより、仕切り板９を固定することができる。
【００３５】
また、ホルダ５の引掛け部７は、収納部６から延出し、熱交換器３１の背面に当接させる延出面部７０と、延出面部７０の端部から屈曲し、熱交換器３１の上面に載置させる天面部７１と、天面部７１の端部から屈曲し、第１平坦部９０に掛け留める掛留部７２と、を有している。掛留部７２は、先端部７２ａを外方に向かって傾斜させた構成である。よって、本実施の形態の空気調和機の室外機１００は、ホルダ５を熱交換器３１に取り付ける際に、掛留部７２の先端部７２ａが第１平坦部９０に誘導するガイド部として機能するので、ホルダ５を取り付ける作業が容易となり、作業性を向上させることができる。
【００３６】
以上に本発明を実施の形態に基づいて説明したが、本発明は上述した実施の形態の構成に限定されるものではない。例えば、図示した空気調和機の室外機の構成は、一例であって、上述した内容に限定されるものではなく、他の構成要素を含んだ空気調和機の室外機であっても同様に実施することができる。要するに、いわゆる当業者が必要に応じてなす種々なる変更、応用、利用の範囲をも本発明の要旨（技術的範囲）に含むことを念のため申し添える。
【符号の説明】
【００３７】
１  筐体、２  仕切り板、３  送風機室、４  機械室、５  ホルダ、６  収納部、７  引掛け部、８  温度検知手段、９  仕切り板、１０  前側面パネル、１０ａ  ファンガード、１１  右側面パネル、１１ａ  開口部、１２  底面パネル、１２ａ  脚部、１３  天面パネル、１４  保護カバー、２０  平坦部、２１  湾曲面、２２  通孔、３０、３１  熱交換器、３２  プロペラファン、３３  モーター、３４  モーター取付台、４０  圧縮機、４１  冷媒配管、４２  電装品ユニット、４３  電源ユニット、６０  本体部、６１  カバー部、６２  台座、６３  フック部、６４  係合孔、６５  通気孔、７０  延出面部、７０ａ  凹部、７１  天面部、７２  掛留部、７２ａ  先端部、７３  ガイド片、８０  リード線、９０  第１平坦部、９１  第２平坦部、９２  第３平坦部、９３  湾曲面、９４  通孔、１００、１１０  空気調和機の室外機。
【図１】
0006727442.tif 000002
【図２】
0006727442.tif 000003
【図３】
0006727442.tif 000004
【図４】
0006727442.tif 000005
【図５】
0006727442.tif 000006
【図６】
0006727442.tif 000007
【図７】
0006727442.tif 000008
【図８】
0006727442.tif 000009
【図９】
0006727442.tif 000010
【図１０】
0006727442.tif 000011
【図１１】
0006727442.tif 000012
【図１２】
0006727442.tif 000013
【図１３】
0006727442.tif 000014
【図１４】
0006727442.tif 000015